(57)【要約】【課題】  キッチンキャビネットの下部全体に一定の奥行を有する蹴込み部を形成することのできるキャスター付ワゴンを提供すること。【解決手段】  キッチンキャビネット５への収納時には、キッチンキャビネットの蹴込み部６側に位置することになるキャスター４が、定位置からキッチンキャビネットの内部方向に移動して蹴込み部から突出せずに収納され、キッチンキャビネットから引き出す時、収納されていたキャスターが定位置に復帰する。【選択図】図１
2007000376.tif 000002
【特許請求の範囲】
【請求項１】
キッチンキャビネットの内部に収納されるキャスター付ワゴンであって、キッチンキャビネットへの収納時には、キッチンキャビネットの蹴込み部側に位置することになるキャスターが、定位置からキッチンキャビネットの内部方向に移動して蹴込み部から突出せずに収納され、キッチンキャビネットから引き出す時、収納されていたキャスターが定位置に復帰することを特徴とするキャスター付ワゴン。
【請求項２】
定位置からの移動と定位置への復帰が可能とされたキャスターは、キャスター付ワゴンの引き出しおよび収納方向と平行に移動する可動治具に支持され、可動治具および可動治具の平行移動をガイドするガイドがキャスター付ワゴンの底面に配設され、可動治具には平行移動を支援する歯車が設けられ、キッチンキャビネットの内部に歯車と噛み合う凹凸が設けられている請求項１記載のキャスター付ワゴン。
【請求項３】
定位置からの移動と定位置への復帰が可能とされたキャスターは、バネにより付勢されるとともに、キャスター付ワゴンの底面に軸支された可動治具に支持され、可動治具は、キッチンキャビネットに向かって三角形状に横に張り出す凸部を有している請求項１記載のキャスター付ワゴン。
【発明の詳細な説明】
【技術分野】
【０００１】
本願発明は、キッチンキャビネットに設けられるキャスター付ワゴンに関するものである。
【背景技術】
【０００２】
キッチンキャビネットの内部に収納されるキャスター付ワゴンが知られている。キャスター付ワゴンでは、転倒しないように、キャスター間の距離を一定以上確保する必要がある。このため、配管等が配設されているなどにより奥行の浅いキッチンキャビネットの内部にキャスター付ワゴンを収納する場合、キャスターが蹴込み部に突出するという問題があった。
【０００３】
キャスター付ワゴンには、正面の前板と、前板の下部に前板より奥側に位置させた蹴込み板とを備えたものが知られている（特許文献１）。
【特許文献１】特開２００１−６１５７３号公報
【発明の開示】
【発明が解決しようとする課題】
【０００４】
しかしながら、特許文献１に記載された前板および蹴込み板を備えたキャスター付ワゴンの場合、奥行の浅いキッチンキャビネットの内部に収納した際、前板がキッチンキャビネットの蹴込み部から突出することとなり、キッチンキャビネットの下部全体に一定の奥行を有する蹴込み部を形成することができない。蹴込み部は、立ち作業の際に足のつま先がキッチンキャビネットに当たるのを防止し、キッチンキャビネットに接近した状態で諸作業を円滑に行わせる重要な部位である。したがって、キャスター付ワゴンを備えたキッチンキャビネットにも蹴込み部が全体にわたって一定に形成されることが要望される。
【０００５】
本願発明は、このような事情に鑑みてなされたものであり、キッチンキャビネットの下部全体に一定の奥行を有する蹴込み部を形成することのできるキャスター付ワゴンを提供することを課題としている。
【課題を解決するための手段】
【０００６】
本願発明は、上記の課題を解決するために、第１には、キッチンキャビネットの内部に収納されるキャスター付ワゴンであって、キッチンキャビネットへの収納時には、キッチンキャビネットの蹴込み部側に位置することになるキャスターが、定位置からキッチンキャビネットの内部方向に移動して蹴込み部から突出せずに収納され、キッチンキャビネットから引き出す時、収納されていたキャスターが定位置に復帰することを特徴としている。
【０００７】
本願発明は、第２には、定位置からの移動と定位置への復帰が可能とされたキャスターは、キャスター付ワゴンの引き出しおよび収納方向と平行に移動する可動治具に支持され、可動治具および可動治具の平行移動をガイドするガイドがキャスター付ワゴンの底面に配設され、可動治具には平行移動を支援する歯車が設けられ、キッチンキャビネットの内部に歯車と噛み合う凹凸が設けられていることを特徴としている。
【０００８】
本願発明は、第３には、定位置からの移動と定位置への復帰が可能とされたキャスターは、バネにより付勢されるとともに、キャスター付ワゴンの底面に軸支された可動治具に支持され、可動治具は、キッチンキャビネットに向かって三角形状に横に張り出す凸部を有していることを特徴としている。
【発明の効果】
【０００９】
本願の第１の発明によれば、キッチンキャビネットへの収納時には、蹴込み部側に位置することになるキャスターが定位置よりキッチンキャビネットの内部方向に移動し、収納されるため、キッチンキャビネットの蹴込み部にキャスターが突出することはなく、配管等の配設などにより奥行が浅くなっている箇所でもキャスターは蹴込み部に突出しない。足のつま先が当たるのが防止され、キッチンキャビネットに接近した立ち位置で諸作業を円滑に行うことができる。キャスター付ワゴンを引き出して使う際には、収納されたキャスターは定位置に復帰するため、キャスター付ワゴンは安定した状態にあり、転倒することはない。
【００１０】
本願の第２の発明によれば、キャスター付ワゴンの収納時には、キッチンキャビネットの内部に設けられた凹凸と歯車の噛み合いにより歯車が回転し、歯車の回転にともなってキャスターを支持する可動治具がガイドに沿ってキッチンキャビネット内部方向に移動する。したがって、キャスター付ワゴンをキッチンキャビネットの内部に収納するにつれて可動治具に支持されたキャスターがキッチンキャビネットの内部方向に自動的に移動し、収納される。キャスター付ワゴンを引き出すと、歯車が逆回転するため、可動治具の移動により収納されていたキャスターが定位置に自動的に復帰する。蹴込み部側に位置することになるキャスターの定位置からの移動および定位置への復帰を容易に行わせることができる。
【００１１】
本願の第３の発明によれば、キャスター付ワゴンの収納時には、可動治具に設けられた凸部がキッチンキャビネットの側板または仕切り板の内側面に接触することにより内側に向けて押圧され、この押圧により可動治具が内側に回動し、可動治具に支持されたキャスターがキッチンキャビネットの内部方向に自動的に移動して収納される。キャスター付ワゴンを引き出すと、凸部がキッチンキャビネットの側板または仕切り板の内側面から離れる時に、バネに蓄積されていた弾性力によって可動治具とともにキャスターが外側へ移動し、収納されたキャスターが定位置に復帰する。蹴込み部側に位置することになるキャスターの定位置からの移動および定位置への復帰を容易に行わせることができる。
【発明を実施するための最良の形態】
【００１２】
図１は、本願発明のキャスター付ワゴンの概要を示した要部断面図である。
【００１３】
本願発明のキャスター付ワゴン１は、前後左右の４箇所にキャスターを備え、キャスターは、ワゴン本体２の底面の所定位置に配設されている。前後のキャスター３、４は、ワゴン本体２の転倒を防止することのできる所定間隔ａだけ離れており、この位置を定位置としている。ワゴン本体２は、キッチンで使用される各種備品を収納することができ、また、腰掛として使用することも可能としている。
【００１４】
本願発明のキャスター付ワゴン１は、キッチンキャビネット５の内部に収納されるものである。使用時にはキッチンキャビネット５から引き出すことができ、用が済んだ後にキッチンキャビネット５の内部に収納することができる。
【００１５】
そして、本願発明のキャスター付ワゴン１では、キッチンキャビネット５への収納時に、キッチンキャビネット５の蹴込み部６側に位置することになるキャスター４が、定位置からキッチンキャビネット５の内部方向に移動する。キャスター４の移動距離はｂであり、この時、前後のキャスター３、４の間隔はａ−ｂとなる。したがって、本願発明のキャスター付ワゴン１は、キッチンキャビネット５に収納された状態では、蹴込み部６側に位置するキャスター４は蹴込み部６に突出せず、キッチンキャビネット５の内部に収納される。このため、配管等の配設などにより奥行が浅くなっている箇所でもキャスター４は蹴込み部６に突出しない。足のつま先が当たるのが防止され、キッチンキャビネット５に接近した立ち位置で諸作業を円滑に行うことができる。
【００１６】
また、本願発明のキャスター付ワゴン１では、使用時に、キッチンキャビネット５から引き出すと、収納された蹴込み部６側のキャスター４が定位置に復帰し、すなわち、距離ｂだけキャスター３から離れるように移動し、前後のキャスター３、４の間隔がａとなる。この状態は、転倒のおそれのない安定した状態であり、キャスター付ワゴン１を諸作業に用いることができる。
【００１７】
このように、本願発明のキャスター付ワゴン１は、ワゴンとしての使い勝手をそのまま良好に保持し、不使用時にキッチンキャビネット５に収納した際に、キッチンキャビネット５に一定の奥行を有する蹴込み部６を形成することができる。足のつま先が当たらず、キッチンキャビネット５から適当な立ち位置での諸作業を可能とする。
【００１８】
蹴込み部６側に位置することになるキャスター４を、キャスター付ワゴン１のキッチンキャビネット５への収納時に移動させる機構としては以下のものが例示される。
【実施例１】
【００１９】
図２に示した例では、キャスター４が、キャスター付ワゴン１の引き出しおよび収納方向と平行に移動する可動治具７に配設されている。可動治具７の平行移動はガイド８によりガイドされるようになっている。可動治具７およびガイド８はともにキャスター付ワゴン１の底面９に配設されている。また、可動治具７には、平行移動を支援する歯車１０が設けられている。そして、キッチンキャビネット５の側板または仕切り板１１の内側面に歯車１０と噛み合う凹凸１２が設けられている。
【００２０】
キャスター付ワゴン１をキッチンキャビネット５に収納する際、キッチンキャビネット５の内部にキャスター付ワゴン１を押し入れると、歯車１０が凹凸１２に噛み合い、歯車１０が回転する。この時の歯車１０の回転にともなって、可動治具７がガイド８に沿ってキッチンキャビネット５の内部方向に平行に移動する。その結果、可動治具７に設けられているキャスター４は、定位置からキッチンキャビネット５の内部方向に自動的に移動する。キャスター付ワゴン１が完全にキッチンキャビネット５の内部に収納されると、キャスター４は、キッチンキャビネット５の蹴込み部より内側に収納され、蹴込み部に突出しない。立ち作業に際して足のつま先がキャスター４に当たることはない。
【００２１】
キャスター付ワゴン１を収納状態から引き出すと、歯車１０は逆回転し、可動治具７の移動にともなってキャスター４が自動的に定位置に戻る。キャスター付ワゴン１は４つのキャスター３、４により安定に支持され、転倒が防止される。
【００２２】
このように、蹴込み部側に位置することになるキャスター４の定位置からの移動および定位置への復帰を容易に行わせることができる。
【００２３】
なお、本実施例では、歯車１０と噛み合う凹凸１２はキッチンキャビネット５の側板または仕切り板１１に設けたが、キッチンキャビネット５の底板に設けても、上記と同じようなキャスター４の移動が得られる。
【実施例２】
【００２４】
図３に示した例では、キャスター４が、バネ１３によって外側に付勢されている。また、キャスター４は、キャスター付ワゴン１の底面に回動軸１４によって軸支された可動治具１５に配設されている。可動治具１５は、キッチンキャビネット５に向かって三角形状に横に張り出す凸部１６を有している。
【００２５】
キャスター付ワゴン１をキッチンキャビネット５に収納する際、キッチンキャビネット５の内部にキャスター付ワゴン１を押し入れると、凸部１６がキッチンキャビネット５の側板または仕切り板１１の内側面に接触し、内側に押圧される。この押圧により可動治具１５が回動軸１４を回動の中心として内側に向かって回動する。バネ１３の弾性力はこの時の回動力より小さく設定されているため、キャスター４は可動治具１５の回動ととともに移動し、キャスター付ワゴン１の内側に向かう。バネ１３は押し縮められ、弾性力が蓄積される。したがって、キャスター付ワゴン１が完全にキッチンキャビネット５の内部に収納された時には、キャスター４はキッチンキャビネット５の蹴込み部より内側に位置し、蹴込み部に突出しない。立ち作業に際して足のつま先がキャスター４に当たることはない。
【００２６】
キャスター付ワゴン１を収納状態から引き出すと、凸部１６がキッチンキャビネット５の側板または仕切り板１１から離れた時点で、バネ１３に蓄積された弾性力が開放され、キャスター４はキャスター付ワゴン１の外側に向かって押圧される。この押圧により、可動治具１５が回動軸１４を中心として外側に向かって回動し、キャスター４は定位置に復帰する。キャスター付ワゴン１は４つのキャスター３、４により安定に支持され、転倒が防止される。
【００２７】
このように、蹴込み部側に位置することになるキャスター４の定位置からの移動および定位置への復帰を容易に行わせることができる。
【図面の簡単な説明】
【００２８】
【図１】本願発明のキャスター付ワゴンの概要を示した要部断面図である。
【図２】本願発明のキャスター付ワゴンに採用可能なキャスターの移動機構を概略的に示した底面図である。
【図３】本願発明のキャスター付ワゴンに採用可能なキャスターの移動機構を概略的に示した底面図である。
【符号の説明】
【００２９】
１    キャスター付ワゴン
２    ワゴン本体
３、４    キャスター
５    キッチンキャビネット
６    蹴込み部
７    可動治具
８    ガイド
９    底面
１０    歯車
１１    側板または仕切り板
１２    凹凸
１３    バネ
１４    回動軸
１５    可動治具
１６    凸部
【図１】
2007000376.tif 000003
【図２】
2007000376.tif 000004
【図３】
2007000376.tif 000005